(57)【要約】【課題】バックアップするデータを他のコンピュータへ転送する際に、ＣＰＵを介在したソフトウェアによる通信プロトコル処理の代わりに、ハードウェアによる自動データ転送回路を利用したバックアップ方式を提供する。【解決手段】自身のコンピュータにおいてＣＰＵの通常処理におけるＡＴＭデータ送出の減少を自動的に検出し、保存領域のデータを読み出してＡＴＭセルデータを生成し、ＡＴＭ交換網に送出する回路と、他のコンピュータにおいてＡＴＭ交換網を経由して受信したＡＴＭセルデータから保存データを分離して自動的にバックアップデータ保存領域へ保存する回路の動作によって、コンピュータの処理負荷を増加させることなくバックアップデータを転送する。【選択図】　　　図２
2004070386.tif 000002
【特許請求の範囲】
【請求項１】
ＡＴＭ交換網に接続された複数のコンピュータ間で自身の保存データを他のコンピュータへ転送してデータバックアップを行うコンピュータシステムのデータ転送方式において、
前記自身のコンピュータは、通常処理におけるデータ送信命令を発行するＣＰＵと、他のコンピュータへバックアップデータを自動転送するための制御を行うＡＴＭ送信制御回路と、保存データを記憶する保存領域やバックアップデータを記憶するバックアップデータ保存領域を有するメモリ回路と、他のコンピュータへ転送するデータをＡＴＭセルデータに変換するセル生成回路とを備え、
前記ＡＴＭ送信制御回路は、前記ＣＰＵからのデータ送信命令の発行頻度が一定の頻度より減少したことを検出すると、前記セル生成回路に対して他のコンピュータへバックアップデータを送るための自動転送を要求し、
前記セル生成回路は、当該要求を受けて前記メモリ回路の保存領域に格納されている保存データを読み出してＡＴＭセルデータを生成し、当該ＡＴＭセルデータをＡＴＭ交換網経由で他のコンピュータに自動転送してバックアップすることを特徴とするコンピュータシステムのデータ転送方式。
【請求項２】
ＡＴＭ交換網に接続された複数のコンピュータ間で自身の保存データを他のコンピュータへ転送してデータバックアップを行うコンピュータシステムのデータ転送方式において、
前記自身のコンピュータは、通常処理におけるデータ送信命令を発行するＣＰＵと、他のコンピュータへバックアップデータを自動転送するための制御を行うＡＴＭ送信制御回路と、保存データを記憶する保存領域やバックアップデータを記憶するバックアップデータ保存領域を有するメモリ回路と、他のコンピュータへ転送するデータをＡＴＭセルデータに変換するセル生成回路とを備え、
前記ＡＴＭ送信制御回路は、前記ＣＰＵからのデータ送信命令の発行頻度が一定の頻度より減少したことを検出すると、前記セル生成回路に対して他のコンピュータへバックアップデータを送るための自動転送を要求し、
前記セル生成回路は、当該要求を受けて前記メモリ回路の保存領域に格納されている保存データを読み出した後に分割して複数のＡＴＭセルデータを生成し、当該ＡＴＭセルデータをＡＴＭ交換網経由で他のコンピュータに転送し、
当該ＡＴＭセルデータを受信した他のコンピュータは、当該ＡＴＭセルデータがバックアップするための保存データであることを検出すると当該複数の保存データを他コンピュータのメモリ回路のバックアップデータ保存領域に繰り返して記憶することを特徴とするコンピュータシステムのデータ転送方式。
【請求項３】
請求項１及び請求項２のコンピュータシステムのデータ転送方式において、
前記セル生成回路にランダムパターン生成回路とデータ管理番号保存媒体を付加する構成を備え、前記セル生成回路は、前記メモリ回路の保存領域に格納されている保存データを読み出した後に分割して複数のＡＴＭセルデータを生成する際に、当該ＡＴＭセルデータの保存先メモリアドレスと関連付けられたデータ管理番号を前記ランダムパターン生成回路によって作成することにより、前記保存データを他コンピュータのメモリ回路のバックアップデータ保存領域にランダムに分散して記憶することを特徴とするコンピュータシステムのデータ転送方式。
【請求項４】
請求項３のコンピュータシステムのデータ転送方式において、
前記セル生成回路は、前記ランダムパターン生成回路によって作成されたデータ管理番号と前記ＡＴＭセルデータの保存先メモリアドレスとの関連付け情報を前記データ管理番号保存媒体に記憶し、当該ＡＴＭセルデータの転送が完了した後に当該データ管理番号保存媒体を前記自身のコンピュータから切り離すことにより、保存した秘密データへの不正アクセスを不可能にすることを特徴とするコンピュータシステムのデータ転送方式。
【請求項５】
ＡＴＭ交換網に接続された複数のコンピュータ間で自身の保存データを他のコンピュータへ転送してデータバックアップを行うコンピュータシステムのデータ転送方式において、
前記自身のコンピュータは、通常処理におけるデータ送信命令を発行するＣＰＵと、他のコンピュータへバックアップデータを自動転送するための制御を行うＡＴＭ送信制御回路と、保存データを記憶する保存領域やバックアップデータを記憶するバックアップデータ保存領域を有するメモリ回路と、他のコンピュータへ転送するデータをＡＴＭセルデータに変換するセル生成回路とを備え、
前記ＡＴＭ送信制御回路は、前記ＣＰＵからのデータ送信命令の発行が無いまま一定の時間が経過したことを検出すると、ＣＰＵの故障と判定して、前記セル生成回路に対して故障通知セルデータの転送を要求し、
前記セル生成回路は、当該要求を受けて自身のコンピュータ故障通知セルデータを生成してＡＴＭ交換網経由で他のコンピュータに転送し、
当該故障通知セルデータを受信した他のコンピュータは、故障したコンピュータが過去に保存したデータを他の別のコンピュータ宛てに自動転送して新たにバックアップすることを特徴とするコンピュータシステムのデータ転送方式。
【請求項６】
請求項１、請求項２及び請求項５のコンピュータシステムのデータ転送方式において、
前記セル生成回路は、前記保存領域のメモリアドレスとＡＴＭセルデータにおけるＡＴＭヘッダのＶＰＩ・ＶＣＩ値を関連づけて転送先を決定することを特徴とするコンピュータシステムのデータ転送方式。
【請求項７】
ＡＴＭ交換網に接続された複数のコンピュータ間で自身の保存データを他のコンピュータへ転送してデータバックアップを行うコンピュータシステムのデータ転送方法において、
前記自身のコンピュータは、通常処理におけるデータ送信命令を発行するＣＰＵと、他のコンピュータへバックアップデータを自動転送するための制御を行うＡＴＭ送信制御回路と、保存データを記憶する保存領域やバックアップデータを記憶するバックアップデータ保存領域を有するメモリ回路と、他のコンピュータへ転送するデータをＡＴＭセルデータに変換するセル生成回路とを備え、
前記ＡＴＭ送信制御回路は、前記ＣＰＵからのデータ送信命令の発行頻度が一定の頻度より減少したことを検出すると、前記セル生成回路に対して他のコンピュータへバックアップデータを送るための自動転送を要求するステップと、前記セル生成回路は、当該要求を受けて前記メモリ回路の保存領域に格納されている保存データを読み出してＡＴＭセルデータを生成するステップと、当該ＡＴＭセルデータをＡＴＭ交換網経由で他のコンピュータに自動転送してバックアップするステップを有することを特徴とするコンピュータシステムのデータ転送方法。
【請求項８】
ＡＴＭ交換網に接続された複数のコンピュータ間で自身の保存データを他のコンピュータへ転送してデータバックアップを行うコンピュータシステムのデータ転送方法において、
前記自身のコンピュータは、通常処理におけるデータ送信命令を発行するＣＰＵと、他のコンピュータへバックアップデータを自動転送するための制御を行うＡＴＭ送信制御回路と、保存データを記憶する保存領域やバックアップデータを記憶するバックアップデータ保存領域を有するメモリ回路と、他のコンピュータへ転送するデータをＡＴＭセルデータに変換するセル生成回路とを備え、
前記ＡＴＭ送信制御回路は、前記ＣＰＵからのデータ送信命令の発行頻度が一定の頻度より減少したことを検出すると、前記セル生成回路に対して他のコンピュータへバックアップデータを送るための自動転送を要求するステップと、
前記セル生成回路は、当該要求を受けて前記メモリ回路の保存領域に格納されている保存データを読み出した後に分割して複数のＡＴＭセルデータを生成するステップと、当該ＡＴＭセルデータをＡＴＭ交換網経由で他のコンピュータに転送するステップと、当該ＡＴＭセルデータを受信した他のコンピュータは、当該ＡＴＭセルデータがバックアップするための保存データであることを検出すると当該複数の保存データを他コンピュータのメモリ回路のバックアップデータ保存領域に繰り返して記憶するステップを有することを特徴とするコンピュータシステムのデータ転送方法。
【請求項９】
請求項７及び請求項８のコンピュータシステムのデータ転送方法において、
前記セル生成回路にランダムパターン生成回路とデータ管理番号保存媒体を付加する構成を備え、前記セル生成回路は、前記メモリ回路の保存領域に格納されている保存データを読み出した後に分割して複数のＡＴＭセルデータを生成する際に、当該ＡＴＭセルデータの保存先メモリアドレスと関連付けられたデータ管理番号を前記ランダムパターン生成回路によって作成するステップを有することにより、前記保存データを他コンピュータのメモリ回路のバックアップデータ保存領域にランダムに分散して記憶することを特徴とするコンピュータシステムのデータ転送方法。
【請求項１０】
請求項９のコンピュータシステムのデータ転送方式において、
前記セル生成回路は、前記ランダムパターン生成回路によって作成されたデータ管理番号と前記ＡＴＭセルデータの保存先メモリアドレスとの関連付け情報を前記データ管理番号保存媒体に記憶するステップと、当該ＡＴＭセルデータの転送が完了した後に当該データ管理番号保存媒体を前記自身のコンピュータから切り離すステップを有することにより、保存した秘密データへの不正アクセスを不可能にすることを特徴とするコンピュータシステムのデータ転送方法。
【請求項１１】
ＡＴＭ交換網に接続された複数のコンピュータ間で自身の保存データを他のコンピュータへ転送してデータバックアップを行うコンピュータシステムのデータ転送方法において、
前記自身のコンピュータは、通常処理におけるデータ送信命令を発行するＣＰＵと、他のコンピュータへバックアップデータを自動転送するための制御を行うＡＴＭ送信制御回路と、保存データを記憶する保存領域やバックアップデータを記憶するバックアップデータ保存領域を有するメモリ回路と、他のコンピュータへ転送するデータをＡＴＭセルデータに変換するセル生成回路とを備え、
前記ＡＴＭ送信制御回路は、前記ＣＰＵからのデータ送信命令の発行が無いまま一定の時間が経過したことを検出すると、ＣＰＵの故障と判定して、前記セル生成回路に対して故障通知セルの自動転送を要求するステップと、
前記セル生成回路は、当該要求を受けて自身のコンピュータ故障通知セルを生成してＡＴＭ交換網経由で他のコンピュータに転送するステップと、
当該故障通知セルを受信した他のコンピュータは、故障したコンピュータが過去に保存したデータを他の別のコンピュータ宛てに自動転送して新たにバックアップすることを特徴とするコンピュータシステムのデータ転送方法。
【請求項１２】
請求項７、請求項８及び請求項１１のコンピュータシステムのデータ転送方法において、
前記セル生成回路は、前記保存領域のメモリアドレスとＡＴＭセルデータにおけるＡＴＭヘッダのＶＰＩ・ＶＣＩ値を関連づけて転送先を決定するステップを有することを特徴とするコンピュータシステムのデータ転送方法。
【発明の詳細な説明】
【０００１】
【発明の属する技術分野】
本発明は、ＡＴＭインタフェースを備えたコンピュータシステムのデータ転送回路とその方法に関する。
【０００２】
【従来の技術】
従来のＡＴＭインタフェースを有するコンピュータシステムにおいて、バックアップデータを他のコンピュータに保存するためにはソフトウェアの処理を介する必要があった。
【０００３】
図１８は、従来のコンピュータシステムの全体ブロック構成図である。図１８に示すように、コンピュータ７０１のメモリ回路及びコンピュータ７０２のメモリ回路には、両コンピュータのＣＰＵ間でデータの保存要求や読み出し要求等をやりとりするための通信プロトコル処理機能を有するソフトウェアが具備されている。
【０００４】
コンピュータ７０１のデータをコンピュータ７０２へ転送するには、コンピュータ７０１のＣＰＵがコンピュータ７０２へデータ保存要求の通知を送出した後、コンピュータ７０１のメモリ回路からデータを読み出し、コンピュータ７０２宛のＡＴＭセルデータを順次生成してＡＴＭ交換網７０３へ送出していた。
【０００５】
その後コンピュータ７０２のＣＰＵは、ＡＴＭ交換網７０３経由でコンピュータ７０１のデータ保存要求を受信し、受信したＡＴＭセルデータから保存するデータを分離し、コンピュータ７０２のメモリ回路へ保存していた。
【０００６】
次に、コンピュータ７０２に保存されているデータをコンピュータ７０１が読み出して復元するには、コンピュータ７０１のＣＰＵがコンピュータ７０２に対してデータ読み出し要求の通知を送出し、コンピュータ７０２のＣＰＵは、コンピュータ７０１のデータ読み出し要求を受信したらコンピュータ７０２のメモリ回路から保存されているデータを読み出し、コンピュータ７０１宛のＡＴＭセルデータを順次生成してＡＴＭ交換網７０３へ送出していた。
【０００７】
その後コンピュータ７０１のＣＰＵは、ＡＴＭ交換網７０３経由でコンピュータ７０２のＡＴＭセルデータを受信し、受信したＡＴＭセルデータから保存データを分離し、コンピュータ７０１のメモリ回路へデータ書き込みを行って復元していた。
【０００８】
【発明が解決しようとする課題】
これまで説明したように、上記の従来技術にはバックアップするデータを他のコンピュータへ転送するために、転送元コンピュータと転送先コンピュータとの間でソフトウェアによる通信プロトコル処理が必要となり、このためデータのバックアップ処理においてコンピュータの処理負荷が増加してしまうという問題があった。
【０００９】
また、バックアップコンピュータのＣＰＵが故障した場合、ソフトウェアによる通信プロトコル処理が実行できなくなり、このためバックアップコンピュータが故障したことを他のコンピュータに通知できないことから保存元のコンピュータにおいて、保存したバックアップデータにアクセスできないことが事前に分からなかったという問題があった。
【００１０】
本発明は、上記に鑑みてなされたもので、その目的とするところは、バックアップするデータを他のコンピュータへ転送する際に、ＣＰＵを介在したソフトウェアによる通信プロトコル処理の代わりに、ハードウェアによる自動データ転送回路を利用したバックアップ方式とその方法を提供することにある。
【００１１】
また、バックアップコンピュータのＣＰＵが故障した場合、ＣＰＵを介在したソフトウェアによる通信プロトコル処理の代わりに、ハードウェアによる自動故障通知と、故障したコンピュータに保存させていたデータと同じデータを別のコンピュータへ自動的にデータ転送する回路を利用したバックアップ方式とその方法を提供することにある。
【００１２】
【課題を解決するための手段】
上記の課題を解決するためになされた本発明は、ＡＴＭ交換網に接続された複数のコンピュータ間で自身の保存データを他のコンピュータへ転送してデータバックアップを行うコンピュータシステムのデータ転送方式において、前記自身のコンピュータは、通常処理におけるデータ送信命令を発行するＣＰＵと、他のコンピュータへバックアップデータを自動転送するための制御を行うＡＴＭ送信制御回路と、保存データを記憶する保存領域やバックアップデータを記憶するバックアップデータ保存領域を有するメモリ回路と、他のコンピュータへ転送するデータをＡＴＭセルデータに変換するセル生成回路とを備え、前記ＡＴＭ送信制御回路は、前記ＣＰＵからのデータ送信命令の発行頻度が一定の頻度より減少したことを検出すると、前記セル生成回路に対して他のコンピュータへバックアップデータを送るための自動転送を要求し、前記セル生成回路は、当該要求を受けて前記メモリ回路の保存領域に格納されている保存データを読み出してＡＴＭセルデータを生成し、当該ＡＴＭセルデータをＡＴＭ交換網経由で他のコンピュータに自動転送してバックアップすることを特徴としている。
【００１３】
即ち、自身のコンピュータにおいてＣＰＵの通常処理におけるＡＴＭデータ送出の減少を自動的に検出し、保存領域のデータを読み出してＡＴＭセルデータを生成し、ＡＴＭ交換網に送出する回路と、他のコンピュータにおいてＡＴＭ交換網を経由して受信したＡＴＭセルデータから保存データを分離して自動的にバックアップデータ保存領域へ保存する回路の動作によって、コンピュータの処理負荷を増加させることなくバックアップデータを転送することができる。
【００１４】
また、前記セル生成回路にランダムパターン生成回路とデータ管理番号保存媒体を付加する構成を備え、前記セル生成回路は、前記メモリ回路の保存領域に格納されている保存データを読み出した後に分割して複数のＡＴＭセルデータを生成する際に、当該ＡＴＭセルデータの保存先メモリアドレスと関連付けられたデータ管理番号を前記ランダムパターン生成回路によって作成することにより、前記保存データを他コンピュータのメモリ回路のバックアップデータ保存領域にランダムに分散して記憶するとしてもよい。
【００１５】
また、前記セル生成回路は、前記ランダムパターン生成回路によって作成されたデータ管理番号と前記ＡＴＭセルデータの保存先メモリアドレスとの関連付け情報を前記データ管理番号保存媒体に記憶し、当該ＡＴＭセルデータの転送が完了した後に当該データ管理番号保存媒体を前記自身のコンピュータから切り離すことにより、保存した秘密データへの不正アクセスを不可能にするとしてもよい。
【００１６】
次に、ＡＴＭ交換網に接続された複数のコンピュータ間で自身の保存データを他のコンピュータへ転送してデータバックアップを行うコンピュータシステムのデータ転送方式において、前記自身のコンピュータは、通常処理におけるデータ送信命令を発行するＣＰＵと、他のコンピュータへバックアップデータを自動転送するための制御を行うＡＴＭ送信制御回路と、保存データを記憶する保存領域やバックアップデータを記憶するバックアップデータ保存領域を有するメモリ回路と、他のコンピュータへ転送するデータをＡＴＭセルデータに変換するセル生成回路とを備え、前記ＡＴＭ送信制御回路は、前記ＣＰＵからのデータ送信命令の発行が無いまま一定の時間が経過したことを検出すると、ＣＰＵの故障と判定して、前記セル生成回路に対して故障通知セルデータの転送を要求し、前記セル生成回路は、当該要求を受けて自身のコンピュータ故障通知セルデータを生成してＡＴＭ交換網経由で他のコンピュータに転送し、当該故障通知セルデータを受信した他のコンピュータは、故障したコンピュータが過去に保存したデータを他の別のコンピュータ宛てに自動転送して新たにバックアップすることを特徴としている。
【００１７】
即ち、自身のコンピュータにおいてＣＰＵ故障を検出し、他のコンピュータへ自動的に故障通知セルデータを送出する回路と、故障通知セルデータを受けて故障したコンピュータに保存させていたデータと同じデータを別のコンピュータへ自動的に転送する回路の動作により、事前にバックアップ先のコンピュータにおけるアクセス不可を回避でき、バックアップ動作の信頼性を高めることができる。
【００１８】
また、前記セル生成回路は、前記保存領域のメモリアドレスとＡＴＭセルデータにおけるＡＴＭヘッダのＶＰＩ・ＶＣＩ値を関連づけて転送先を決定するとしてもよい。
【００１９】
【発明の実施の形態】
以下に図面を参照しつつ、本発明の実施の形態を説明する。図１は、ＡＴＭインタフェースを備えた複数のコンピュータがＡＴＭ交換網を介して接続されているコンピュータシステムの全体ブロック構成図である。図１に示すように、コンピュータ１０１、１０２、１０３はそれぞれＡＴＭセルデータ生成機能とＡＴＭ交換網へ接続するための物理インタフェースを有しており、ＡＴＭ交換網１０４を介して相互にデータ通信を行うことができる。
【００２０】
図２はコンピュータ１０１のブロック構成図であり、図３はコンピュータ１０１のメモリ回路２０２におけるメモリマップと保存データセル３０４の関係を表した説明図である。なお、コンピュータ１０２とコンピュータ１０３のブロック構成図も図２と同等である。図２に示すように、ＣＰＵ２０１は、ＤＭＡ（Ｄｉｒｅｃｔ　Ｍｅｍｏｒｙ　Ａｃｃｅｓｓ）回路２０３を介してメモリ回路２０２と接続し、メモリアクセスを行いながらデータを演算処理する。
【００２１】
メモリ回路２０２は図３に示すように、ＣＰＵ２０１の通常処理に使用する領域と、自己の保存データを格納する保存領域３０１または保存領域３０２と、他のコンピュータから届いた保存データを格納するバックアップデータ保存領域３０３を有している。そして、ＣＰＵ２０１は、自己の長期に保存すべきデータを保存領域３０１または保存領域３０２へ保存する。
【００２２】
ＤＭＡ回路２０３は、通常はＣＰＵ２０１のアドレスバスとデータバスをメモリ回路２０２に接続して、ＣＰＵ２０１のメモリアクセスを可能とする。セル生成回路２０５またはデータ分離回路２０６からメモリアクセス要求があった場合、ＤＭＡ回路２０３はメモリ回路２０２のアドレスバスとデータバスをＣＰＵ２０１からセル生成回路２０５またはデータ分離回路２０６へ接続変更する。
【００２３】
ＤＭＡ回路２０３は、セル生成回路２０５またはデータ分離回路２０６のメモリアクセスが完了すると再びＣＰＵ２０１と接続する。
【００２４】
ＣＰＵ２０１は、ＤＭＡ回路２０３によってメモリ回路２０２と遮断されている間はメモリアクセス処理を停止し、接続が戻るとメモリアクセス処理を再開する。
【００２５】
ここで、コンピュータ１０１の通常処理における動作を説明する。ＣＰＵ２０１は他のコンピュータへデータ転送するために、ＡＴＭ送信制御回路２０４へデータ送信命令を発行し、ＡＴＭ送信制御回路２０４はセル生成回路２０５にＡＴＭセルデータの生成を要求し、セル生成回路２０５は、ＤＭＡ回路２０３を介してメモリ回路２０２の通常使用領域の指定されたアドレスへリードアクセスし、リードしたデータを分割して複数のＡＴＭセルデータを生成する。
【００２６】
なお、ＡＴＭ送信制御回路２０４は、上記のようにＣＰＵ２０１からの命令を受けて制御動作を行う場合以外に、ＡＴＭ送信制御回路２０４自身で制御を実行する場合もあり、この動作を説明する。ＡＴＭ送信制御回路２０４は、ＣＰＵ２０１の通常処理によるデータ送信命令の発行頻度が一定の頻度より減少したことを検出すると、メモリ回路２０２の保存領域３０１または３０２に保存されているデータを他のコンピュータへ転送してバックアップするために、データの自動転送をセル生成回路２０５に実行させる。
【００２７】
セル生成回路２０５は、ＤＭＡ回路２０３を介してメモリ回路２０２の保存領域３０１または保存領域３０２へ読み出しを行い、読み出したデータを分割して複数のＡＴＭセルデータを生成する。生成されたＡＴＭセルデータは、ＡＴＭ　Ｉ／Ｆ回路２０７を介してＡＴＭ交換網１０４へ送出され、保存データセルとして他のコンピュータへ転送される。
【００２８】
どのコンピュータへ転送されるかはＡＴＭセルデータのヘッダ情報にあるＶＰＩ（Ｖｉｒｔｕａｌ　Ｐａｔｈ　Ｉｄｅｎｔｉｆｉｅｒ：仮想パス識別子）・ＶＣＩ（Ｖｉｒｔｕａｌ　Ｃｈａｎｎｅｌ　Ｉｄｅｎｔｉｆｉｅｒ：仮想チャネル識別子）の値で決まり、ＶＰＩ・ＶＣＩ値はメモリ回路２０２の保存領域のメモリアドレスと関連づけられている。セル生成回路２０５は、各コンピュータへセルデータを届けるためにこのＶＰＩ及びＶＣＩの値を管理しており、読み出したメモリ回路２０２の保存領域のアドレスによってＶＰＩ・ＶＣＩ値を決定する。
【００２９】
次に、他のコンピュータにバックアップしたデータの読み出しを要求する動作を説明する。ＣＰＵ２０１はＡＴＭセル送信制御回路２０４へ読み出し命令を発行し、ＡＴＭ送信制御回路２０４はセル生成回路２０５に対して読み出し要求セルの生成を要求し、セル生成回路２０５は、作成した読み出し要求セルをＡＴＭ交換網へ送出する。また自身のコンピュータも他のコンピュータからバックアップのために受信したデータをバックアップデータ保存領域３０３に保存しており、他のコンピュータからの読み出し要求セルを受信すると、セル生成回路２０５は要求のあったコンピュータのバックアップデータを読み出し、読み出し応答セルとして送信する。
【００３０】
また、ＡＴＭ送信制御回路２０４自身で制御を実行する他の場合を説明する。ＡＴＭ送信制御回路２０４は、ＣＰＵ２０１のデータ送信命令の発行が無いまま規定の時間が経過したことを検出すると、ＣＰＵの故障と判断し、セル生成回路２０５に故障通知セルを生成させて他のコンピュータへ自動送信するが、この詳細動作説明は後述する。
【００３１】
ＡＴＭ　Ｉ／Ｆ回路２０７は、セル生成回路２０５の生成したセルデータをＡＴＭ物理インタフェース信号へ変換し、ＡＴＭ交換網１０４へ送出する。また、ＡＴＭ　Ｉ／Ｆ回路２０７は、ＡＴＭ交換網１０４から転送されてくるデータを受信し、ＡＴＭセルデータを抽出してデータ分離回路２０６へ出力する。
【００３２】
データ分離回路２０６は、ＡＴＭ　Ｉ／Ｆ回路を介して受信したＡＴＭセルデータを分離し、分離したデータ管理番号に基づいて当該データの属性を調査して当該データが保存データセルか、読み出し要求セルか、読み出し応答セルか、故障通知セルかどうかを検出する。
【００３３】
受信したデータが保存データセルの場合、データ分離回路２０６は受信後分離したデータをＤＭＡ回路２０３経由でメモリ回路２０２のバックアップデータ保存領域に保存する。受信したデータが読み出し要求セルの場合、データ分離回路２０６はセル生成回路２０５へ読み出し応答セルの生成を要求する。受信したデータが読み出し応答セルの場合、データ分離回路２０６はＤＭＡ回路２０３を介して自己の保存領域へ受信後分離したデータを保存する。受信したデータが故障通知セルの場合、データ分離回路２０６はセル生成回路２０５へ通知し、セル生成回路２０５は過去に故障したコンピュータに転送したデータと同じデータをメモリ回路２０２の保存領域から再度読み出し、ＶＰＩ・ＶＣＩ値を変更して別のコンピュータ宛にＡＴＭセルデータを生成して送出する。
【００３４】
次に、メモリ回路の保存データとセルデータの関係について図３、図４及び図５を用いて説明する。図３に示すように、コンピュータ１０１のメモリ回路２０２には、ＣＰＵ２０１が通常の処理に使用する領域と、長期にわたって保存すべき自己のデータを格納する保存領域３０１と保存領域３０２、他のコンピュータから転送されて来たデータを格納するバックアップデータ保存領域３０３がある。保存領域３０１や保存領域３０２へ保存されたデータは、セル生成回路２０５によってリードされ、保存データセル３０４のようにｎ個に分割されてペイロード部分に格納される。保存データセル３０４は、このペイロード部分以外に、コンピュータの宛先であるＶＰＩ・ＶＣＩを含むヘッダ部分と、どのコンピュータから送出されたかを示すコンピュータ番号、分割されたデータの順番と読み出し要求や故障通知の分類を表すデータ管理番号が格納されている。
【００３５】
図４は、他のコンピュータ（例えばコンピュータ１０２）のメモリ回路４０１におけるメモリマップと保存データセル３０４の関係を表した説明図である。図４に示すように、ＡＴＭ交換網１０４を介して転送されてきた保存データセル３０４のコンピュータ番号とデータ管理番号及び分割データが組になってバックアップデータ保存領域４０２へ格納される。どのコンピュータへＡＴＭセルが転送されるかは、メモリ回路の保存領域によって分ける。例えば、図３の保存領域３０１はコンピュータ１０２、保存領域３０２はコンピュータ１０３に転送するものとなっている。従って、保存領域３０１がｎ個の保存データセルで分割されると、図４のバックアップデータ保存領域４０２にもｎ組のデータが転送されて保存される。
【００３６】
図５は、他のコンピュータ（例えばコンピュータ１０２）のメモリ回路４０１におけるメモリマップと読み出し応答セル５０１の関係を表した説明図である。図５に示すように、メモリ回路４０１をもつコンピュータ１０２が、読み出し要求セルを受信した場合、図５のように読み出し要求セルのコンピュータ番号に一致するデータの組をバックアップデータ保存領域４０２から読み出し、要求するコンピュータの宛先を含むＡＴＭヘッダを付加した読み出し応答セルデータ５０１を順次生成して送出する。
【００３７】
なお、通常処理において、ＣＰＵ２０１が他のコンピュータへデータ転送する場合、セル生成回路２０５は通常処理領域からデータをリードしてＡＴＭセルデータを生成するが、転送するデータの指定や、ＶＰＩ・ＶＣＩ値とペイロード構成の指定はＣＰＵ２０１が決定する。
【００３８】
次に、図６乃至図９は図３及び図４のメモリ回路と保存データセルの関係を表した説明図における具体的な情報であり、図６は保存領域割り当て表、図７はコンピュータのＶＰＩ／ＶＣＩ割り当て表、図８はコンピュータ番号割り当て表、図９はデータ管理番号割り当て表である。そして、図１０は図３に対して上記の具体的な割り当て情報を組み入れた説明図であり、ここではメモリ回路２０２の保存領域のデータから保存データセル３０４を作り上げるまでを表している。
【００３９】
図１０に示すように、生成する保存データセル３０４のコンピュータ番号を１Ｂｙｔｅ、データ管理番号を１Ｂｙｔｅとすると、ＡＴＭヘッダは５Ｂｙｔｅとなり、ＡＴＭセルデータ全体で５３Ｂｙｔｅ固定であるので、ペイロード部分へ挿入される分割データのサイズは４６Ｂｙｔｅとなる。
【００４０】
メモリ回路２０２の保存領域とそのデータから生成したＡＴＭセルデータの送出先が図６に示すような関係とすると、保存領域３０１のデータから生成したＡＴＭセルデータはコンピュータ１０２へ送出することになる。
【００４１】
また、各コンピュータの宛先として割り当てられたＶＰＩ・ＶＣＩの値が図７、コンピュータ番号の割り当てが図８に示すような関係とすると、保存データセル３０４のＡＴＭヘッダはコンピュータ１０２宛のＶＰＩ＝１、ＶＣＩ＝２１となり、送出元を示すコンピュータ番号は１となる。
【００４２】
そして、データ管理番号は１Ｂｙｔｅで表現できる０〜２５５の値を図９に示すように割り当てており、保存データセル３０４は他のコンピュータへ送出する保存データであるので、データ管理番号は１〜２４４が使用され、図１０の場合では、保存領域３０１と保存領域３０２のサイズを同じとしてデータ管理番号は保存領域３０１に１〜１２２、保存領域３０２に１２３〜２４４を割り当てている。
【００４３】
なお、データ管理番号は保存領域３０１及び保存領域３０２のメモリアドレスを４６Ｂｙｔｅ単位で分割して関連付けられており、データ管理番号の上限値から、転送できる分割データの数は最大で２４４となり、図１０における最大転送データサイズは４６Ｂｙｔｅ×２４４＝１１２２４Ｂｙｔｅとなる。
【００４４】
次に、図１１は図４に対して図６乃至図９の具体的な割り当て情報を組み入れた説明図であり、他のコンピュータとしてコンピュータ１０２の例で説明している。そして、保存データセルをコンピュータ１０２のメモリ回路４０１のバックアップデータ保存領域に保存している様子を表している。図１１に示すように、ＡＴＭ交換網１０４は、保存データセル３０４のＶＰＩ＝１、ＶＣＩ＝２１という値に従ってコンピュータ１０２へセルデータを転送しており、保存データセル３０４を受け取ったコンピュータ１０２では、データ分離回路において受信した保存データセル３０４のうちＡＴＭヘッダを削除する。そして分離したコンピュータ番号とデータ管理番号及び分割データの４６ＢｙｔｅをＤＭＡ回路経由でメモリ回路４０１のバックアップデータ保存領域４０２へ書き込む。
【００４５】
なお、コンピュータ１０２は、コンピュータ１０１からだけでなくコンピュータ１０３からも保存データを受信しており、それぞれのコンピュータから受信する保存データはコンピュータ毎あるいは受信順序に従って領域を分けずにバックアップデータ保存領域４０２の空き領域へ順次保存している。
【００４６】
図１２は、図１に示すコンピュータ１０１からコンピュータ１０２及びコンピュータ１０３へＡＴＭデータ転送する場合の動作を表すフローチャート図である。図１２に示すように、コンピュータ１０１のＣＰＵ２０１からＡＴＭ送信制御回路２０４へ発行されるＡＴＭ送信命令がある一定の頻度より減少すると（ステップ８０１）、ＡＴＭ送信制御回路２０４は保存データの自動転送動作を開始し、　図１０の保存領域３０１と３０２のうちいずれかの領域を選択してセル生成回路２０５へ自動転送を要求する（ステップ８０２）。
【００４７】
保存領域３０１の自動転送要求の場合、図６に示すように保存先コンピュータはコンピュータ１０２となり、セル生成回路２０５は、ＤＭＡ回路２０３を介してメモリ回路２０２の保存領域３０１へリードアクセスする。セル生成回路２０５は、リードしたデータを分割してＡＴＭセルデータ（図１０における保存データセル３０４）を生成する（ステップ８０３）。
【００４８】
セル生成回路２０５によって生成された保存データセル３０４はＡＴＭ　Ｉ／Ｆ回路２０７よりＡＴＭ交換網１０４へ送出され（ステップ８０４）、セル生成回路２０５とＡＴＭ　Ｉ／Ｆ回路２０７は、分割データを全てＡＴＭセルデータにして送出するまでこの動作を繰り返す（ステップ８０５）。
【００４９】
ＡＴＭ交換網１０４は、保存データセル３０４のＶＰＩ・ＶＣＩ値にしたがってコンピュータ１０２へセルデータを転送し、コンピュータ１０２はＡＴＭ交換網１０４から転送されてきた保存データセル３０４をＡＴＭ　Ｉ／Ｆによって受信する（ステップ８０６）。
【００５０】
保存データセル３０４を受信したコンピュータ１０２は、図１１に示すように受信した保存データセル３０４のうちＡＴＭヘッダを削除してコンピュータ番号とデータ管理番号及び分割データを分離する（ステップ８０７）。そしてこの分離したデータをコンピュータ１０２のメモリ回路のバックアップデータ保存領域に書き込む（ステップ８０８）。
【００５１】
ＡＴＭ送信制御回路２０４が自動転送対象として保存領域３０２を選択した場合も前述と同じ動作を行い、セル生成回路２０５はメモリ回路２０２の保存領域３０２へリードアクセスし、リードしたデータを分割してＡＴＭセルデータ（保存データセル）を生成する（ステップ８０９）。
【００５２】
セル生成回路２０５によって生成された保存データセルはＡＴＭ　Ｉ／Ｆ回路２０７よりＡＴＭ交換網１０４へ送出され、コンピュータ１０３へ保存データを転送する（ステップ８１０）。なお、セル生成回路２０５とＡＴＭ　Ｉ／Ｆ回路２０７は、保存領域３０２の分割データを全てＡＴＭセルデータにして送出するまでこの動作を繰り返す（ステップ８１１）。
【００５３】
ＡＴＭ交換網１０４は、保存データセルのＶＰＩ・ＶＣＩ値にしたがってコンピュータ１０３へセルデータを転送し、コンピュータ１０３はＡＴＭ交換網１０４から転送されてきた保存データセル３０４を受信する（ステップ８１２）。
【００５４】
保存データセルを受信したコンピュータ１０３は、図１１に示すように受信した保存データセルのうちＡＴＭヘッダを削除してコンピュータ番号とデータ管理番号及び分割データを分離する（ステップ８１３）。そしてこの分離したデータをコンピュータ１０３のメモリ回路のバックアップデータ保存領域に書き込む（ステップ８１４）。
【００５５】
次に、図１３は、コンピュータ１０１が自身のデータ保存領域３０１に保存していたデータを何らかの理由により消失してしまったため、コンピュータ１０２のバックアップデータ領域４０２に保存していたデータを読み出して消失データを復元させる動作フローチャート図である。また、図１４は、図１３に記載している読み出し要求セルとそのバックアップデータの読み出し動作を説明する図であり、図１５は、図１３に記載している読み出し応答セルとその読み出した分割データを保存領域に書き込む動作を説明する図である。図１３に示すように、コンピュータ１０１のＣＰＵ２０１は、自身のデータ保存領域３０１に保存していたデータが消失してしまった場合、ＡＴＭ送信制御回路２０４に対して保存領域３０１の復元命令を発行する。
【００５６】
セル生成回路２０５はＡＴＭ送信制御回路２０４より復元要求を受けてコンピュータ１０２宛の読み出し要求セルを生成し（ステップ９０１）、ＡＴＭ　Ｉ／Ｆ回路２０７を介してＡＴＭ交換網へ読み出し要求セルを送出する（ステップ９０２）。
【００５７】
ここで、図１４に示すように、コンピュータ１０２宛に生成された読み出し要求セルの具体的内容を表しているのが読み出し要求セル３０５である。この読み出し要求セル３０５は、ＡＴＭヘッダ値がＶＰＩ＝１、ＶＣＩ＝２１となっていることからコンピュータ１０２宛の読み出し要求セルであること、またコンピュータ番号値が１でデータ管理番号値が０となっていることからコンピュータ１０１の読み出し要求セルであることを表している。なおデータ部分として４６Ｂｙｔｅが付加されるが、内容は任意である。
【００５８】
このような読み出し要求セルを受信したコンピュータ１０２は（ステップ９０３）、データ分離回路において受信したＡＴＭセルデータのコンピュータ番号が１でデータ管理番号が０という値からコンピュータ１０１のバックアップデータ読み出し要求であることを検出し、コンピュータ１０２のセル生成回路へ通知する（ステップ９０４）。
【００５９】
セル生成回路はＤＭＡ回路を介してバックアップデータ保存領域４０２内にあるコンピュータ番号が１のデータを探して順次読み出し（ステップ９０５）、読み出したデータから図１４に示す読み出し応答セル５０１を生成する。この読み出し応答セル５０１のＡＴＭヘッダ部分は、コンピュータ１０１宛なのでＶＰＩ＝１、ＶＣＩ＝２０となり、ペイロード部分にはバックアップデータ保存領域４０２から読み出したコンピュータ番号１Ｂｙｔｅとデータ管理番号１Ｂｙｔｅ、そして分割データ４６Ｂｙｔｅをそのまま挿入する（ステップ９０６）。
コンピュータ１０２は、上記のセル生成回路によって生成された読み出し応答セル５０１をＡＴＭ　Ｉ／Ｆ回路よりＡＴＭ交換網１０４へ送出し（ステップ９０７）、セル生成回路とＡＴＭ　Ｉ／Ｆ回路は、バックアップデータ保存領域４０２内にあるコンピュータ番号１の分割データ全てをコンピュータ１０１宛へ送出するまでこの動作を繰り返す（ステップ９０８）。
【００６０】
一方、コンピュータ１０１はこの読み出し応答セル５０１を受信し（ステップ９０９）、図１４に示すように受信した読み出し応答セル５０１のうちＡＴＭヘッダを削除してコンピュータ番号とデータ管理番号及び分割データを分離する（ステップ９１０）。
【００６１】
コンピュータ１０１のデータ分離回路は、分離した読み出し応答セル５０１のコンピュータ番号を読み取り、この値が１であれば自身に割り当てられたコンピュータ番号と同じと判定して読み出し要求に対する応答セルであることを検出する（ステップ９１１）。
【００６２】
そしてコンピュータ１０１は、ＤＭＡ回路を介して図１５に示すようにデータ管理番号に対応するコンピュータ１０１のメモリ回路２０２の保存領域３０１へ分割データを書き込む（ステップ９１２）。なお、コンピュータ１０２から転送されて来る読み出し応答セルのデータ管理番号は１から１２２の範囲にあり、保存領域３０１のメモリアドレスと関連付けられているので、読み出し応答セルの到達順序に関係なく保存領域３０１のデータは復元できる。
【００６３】
さらに、ＡＴＭ回線に十分な帯域が確保されている場合、コンピュータ１０１はコンピュータ１０２とコンピュータ１０３へ連続して読み出し要求セルを送出することも可能であり、コンピュータ１０２とコンピュータ１０３は、連続して読み出し応答セルをコンピュータ１０１へ送出するため、保存領域３０１と保存領域３０２の復元が短時間に実現できる。
【００６４】
次に、図１６は、コンピュータ１０２が故障した場合の故障通知セルとこの故障通知セルを受信したコンピュータ１０１が過去にコンピュータ１０２に保存していたデータを新たにコンピュータ１０３へ保存させる動作を説明する図である。図１６に示すように、コンピュータ１０２のＡＴＭ送信制御回路は、ＣＰＵのデータ送信命令の発行が無いまま規定の時間が経過するとＣＰＵの故障と判断し、セル生成回路に故障通知セルデータの送出を要求する。
【００６５】
コンピュータ１０２のセル生成回路は図１６の故障通知セル５０２を生成しており、図１６に示すようにＡＴＭヘッダ値がＶＰＩ＝１、ＶＣＩ＝２０となっていることからコンピュータ１０１宛であること、またコンピュータ番号値が２、データ管理番号値が２５５となっていることからコンピュータ１０２の故障通知セルであることを表している。
【００６６】
なお、コンピュータ１０２のセル生成回路は、コンピュータ１０１宛とコンピュータ１０３宛のＡＴＭヘッダをもつ２つの故障通知セルを生成し、ＡＴＭ交換網１０４へそれぞれ送出する。
【００６７】
コンピュータ１０１はＡＴＭ　Ｉ／Ｆ回路を介して故障通知セルを受信し、データ分離回路によって分離したセルのコンピュータ番号が２、データ管理番号が２５５であることを検出し、コンピュータ１０２が故障したことを認知してセル生成回路へ通知する。
【００６８】
コンピュータ１０１のセル生成回路は、過去にコンピュータ１０２へ転送していた保存領域３０１のデータを新たにコンピュータ１０３のバックアップデータ保存領域へ保存させるために、ＡＴＭヘッダをコンピュータ１０３宛として、保存データセル３０５を生成し、ＡＴＭ交換網１０４へ送出する。
【００６９】
そしてコンピュータ１０３はコンピュータ１０１から転送されたデータを、通常の保存データとしてバックアップデータ領域に保存する。この結果、コンピュータ１０３には、コンピュータ１０１の保存領域３０１と保存領域３０２の両方のデータが保存されたことになる。
【００７０】
一方、コンピュータ１０３もコンピュータ１０２の故障検出セルを受信しており、上記のコンピュータ１０１と同様に過去にコンピュータ１０２へ転送していたコンピュータ１０３の保存領域データをコンピュータ１０１宛に新たにデータ転送する。
【００７１】
コンピュータ１０１はコンピュータ１０３から転送されたデータを、通常の保存データとしてバックアップデータ領域に保存する。この結果、コンピュータ１０１には、コンピュータ１０３の保存領域３０１と保存領域３０２の両方のデータが保存されたことになる。
【００７２】
次に、図１７は、図２のセル生成回路２０５とデータ分離回路２０６にランダムパターン生成回路６０１とデータ管理番号保存媒体６０２を付加することにより、秘密データの分散保存を可能とする構成図である。図１７に示すように、セル生成回路２０５が保存領域のデータを分割してＡＴＭセルデータ（保存データセル）を生成する際、データ管理番号をランダムパターン生成回路６０１によって生成し、保存領域のメモリアドレスと関連付けるようにしている。そして、割り付けられたデータ管理番号とメモリアドレスの関連付け情報は、データ管理番号保存媒体６０２に記憶し、セル生成回路２０５が保存領域全てのデータを保存データセルとして他の複数のコンピュータへ転送完了した後、セル生成回路２０５は、保存領域のデータを消去し、データ管理番号保存媒体６０２を物理的に回路から切り離す。
【００７３】
このように構成した結果、完全な形の秘密データを１台のコンピュータに保有することは存在しなくなり、しかもデータ管理番号とメモリアドレスの関連付け情報も物理的に回路から切り離されているため、秘密データへの不正アクセスは事実上不可能になる。
【００７４】
また、上記の構成において、保存されたデータを読み出して復元する場合は、データ管理番号保存媒体６０２を再度回路に実装してセル生成回路２０５から保存先の他のコンピュータへ読み出し要求セルを送出し、データ分離回路においてデータ管理番号保存媒体６０２に記憶されたデータ管理番号とメモリアドレスの関連付け情報を参照しながら読み出し応答セルの分割データを保存領域へ書き込むことで、秘密データは復元できる。
【００７５】
【発明の効果】
以上説明したように、本発明によれば、自身のコンピュータにおいてＣＰＵの通常処理におけるＡＴＭデータ送出の減少を自動的に検出し、保存領域のデータを読み出してＡＴＭセルデータを生成し、ＡＴＭ交換網に送出する回路と、他のコンピュータにおいてＡＴＭ交換網を経由して受信したＡＴＭセルデータから保存データを分離して自動的にバックアップデータ保存領域へ保存する回路の動作によって、コンピュータの処理負荷を増加させることなくバックアップデータを転送することができるという効果が得られる。
【００７６】
そして、上記のバックアップデータを自動転送する時は、ＣＰＵの通常処理におけるＡＴＭセルデータの送出が減少してＡＴＭ回線に未使用帯域が発生した時間帯になるため、ＡＴＭ回線の帯域を有効利用できるという効果が得られる。
【００７７】
また、自身のコンピュータにおいてＣＰＵ故障を検出し、他のコンピュータへ自動的に故障通知セルデータを送出する回路と、故障通知セルデータを受けて故障したコンピュータに保存させていたデータと同じデータを別のコンピュータへ自動的に転送する回路の動作により、事前にバックアップ先のコンピュータにおけるアクセス不可を回避でき、バックアップ動作の信頼性を高めることができるという効果が得られる。
【００７８】
さらに、簡単な回路構成（ランダムパターン生成回路等）の付加を行い、秘密データに対してランダムなデータ管理番号を付与して分割し、これをばらばらにして他のコンピュータに保存させる回路の動作により、完全な形の秘密データを１台のコンピュータにバックアップすることがなくなり、秘密データを不正なアクセスから守ることができるという効果が得られる。
【図面の簡単な説明】
【図１】ＡＴＭインタフェースを備えた複数のコンピュータがＡＴＭ交換網を介して接続されているコンピュータシステムの全体ブロック構成図である。
【図２】コンピュータ１０１のブロック構成図である。
【図３】コンピュータ１０１のメモリ回路２０２におけるメモリマップと保存データセル３０４の関係を表した説明図である。
【図４】他のコンピュータ（例えばコンピュータ１０２）のメモリ回路４０１におけるメモリマップと保存データセル３０４の関係を表した説明図である。
【図５】他のコンピュータ（例えばコンピュータ１０２）のメモリ回路４０１におけるメモリマップと読み出し応答セル５０１の関係を表した説明図である。
【図６】保存領域割り当て表である。
【図７】コンピュータのＶＰＩ／ＶＣＩ割り当て表である。
【図８】コンピュータ番号割り当て表である。
【図９】データ管理番号割り当て表である。
【図１０】図３に対して具体的な割り当て情報を組み入れた説明図である。
【図１１】図４に対して図６乃至図９の具体的な割り当て情報を組み入れた説明図である。
【図１２】図１に示すコンピュータ１０１からコンピュータ１０２及びコンピュータ１０３へＡＴＭデータ転送する場合の動作を表すフローチャート図である。
【図１３】コンピュータ１０２のバックアップデータ領域４０２に保存していたデータを読み出して消失データを復元させる動作フローチャート図である。
【図１４】図１３に記載している読み出し要求セルとそのバックアップデータの読み出し動作を説明する図である。
【図１５】図１３に記載している読み出し応答セルとその読み出した分割データを保存領域に書き込む動作を説明する図である。
【図１６】コンピュータ１０２が故障した場合の故障通知セルとこの故障通知セルを受信したコンピュータ１０１が過去にコンピュータ１０２に保存していたデータを新たにコンピュータ１０３へ保存させる動作を説明する図である。
【図１７】図２のセル生成回路２０５とデータ分離回路２０６にランダムパターン生成回路６０１とデータ管理番号保存媒体６０２を付加することにより、秘密データの分散保存を可能とする構成図である。
【図１８】従来のコンピュータシステムの全体ブロック構成図である。
【符号の説明】
１０１、１０２、１０３　　コンピュータ
１０４、７０３　　ＡＴＭ交換網
２０１　　ＣＰＵ
２０２　　メモリ回路
２０３　　ＤＭＡ回路
２０４　　ＡＴＭ送信制御回路
２０５　　セル生成回路
２０６　　データ分離回路
２０７　　ＡＴＭ　Ｉ／Ｆ回路
３０１、３０２　　保存領域
３０３　　バックアップデータ保存領域
３０４　　保存データセル
３０５　　読み出し要求セル
４０１　　他のコンピュータのメモリ回路
４０２　　他のコンピュータのバックアップデータ保存領域
５０１　　読み出し応答セル
５０２　　故障通知セル
６０１　　ランダムパターン生成回路
６０２　　データ管理番号保存媒体
７０１、７０２　　従来のコンピュータ
【図１】
2004070386.tif 000003
【図２】
2004070386.tif 000004
【図３】
2004070386.tif 000005
【図４】
2004070386.tif 000006
【図５】
2004070386.tif 000007
【図６】
2004070386.tif 000008
【図７】
2004070386.tif 000009
【図８】
2004070386.tif 000010
【図９】
2004070386.tif 000011
【図１０】
2004070386.tif 000012
【図１１】
2004070386.tif 000013
【図１２】
2004070386.tif 000014
【図１３】
2004070386.tif 000015
【図１４】
2004070386.tif 000016
【図１５】
2004070386.tif 000017
【図１６】
2004070386.tif 000018
【図１７】
2004070386.tif 000019
【図１８】
2004070386.tif 000020